(57)【要約】【課題】回動カバーを回動させる時に、シート後端位置決め部とシート排出ローラとの干渉を防止すること。【解決手段】シート排出ロール（Ｒ１，Ｒ２）を支持するフレーム（Ｕ１）と、前記シート排出ロール（Ｒ１，Ｒ２）の上方を被覆する排出ロール被覆部材（１）と、シートの後端部を支持するシート後端部支持部材（４）と、シート支持部本体（２）とを有する前記シート排出トレイ（ＴＲｈ）と、排出ロール被覆部材（１）とシート排出トレイ（ＴＲｈ）とを有し、且つ、回転軸（Ｐ１）を中心として回動可能に支持された回動カバー（Ｕ２）と、前記シート支持部本体（２）に対して相対移動可能に連結され、前記回動カバー（Ｕ２）が回動時に前記シート排出ロール（Ｒ１，Ｒ２）に干渉しない位置に移動可能に連結された前記シート後端部支持部材（４）とを備えた画像形成装置。【選択図】　　図４
2004106988.tif 000002
【特許請求の範囲】
【請求項１】
下記の構成要件（Ａ０１）〜（Ａ０５）を備えたことを特徴とする画像形成装置、
（Ａ０１）シートが排出される排出口を有し、前記排出口からシートを排出するシート排出ロールを支持するフレーム、
（Ａ０２）前記フレーム及びシート排出ロールの上方を被覆する排出ロール被覆部材、
（Ａ０３）前記フレームのシートの排出方向前方に配置されたシート排出トレイであって、前記排出口から排出されたシートの後端部を支持するシート後端部支持部材と、前記シート後端部支持部材のシート排出方向前方に配置されたシート支持部本体とを有する前記シート排出トレイ、
（Ａ０４）前記排出ロール被覆部材と前記シート排出トレイとを有し、且つ、前記フレームのシート排出方向後側に配置された回転軸を中心として回動可能に支持された回動カバー、
（Ａ０５）前記シート支持部本体に対して相対移動可能に連結され、前記回動カバーの回動時に前記シート排出ロールに干渉しない位置に移動可能に連結された前記シート後端部支持部材。
【請求項２】
下記の構成要件（Ａ０６）を備えたことを特徴とする請求項１記載の画像形成装置、
（Ａ０６）前記シート支持部本体に対して回転可能に連結された前記シート後端部支持部材。
【請求項３】
下記の構成要件（Ａ０７）を備えたことを特徴とする請求項１記載の画像形成装置、
（Ａ０７）前記シート支持部本体に対してスライド移動可能に連結された前記シート後端部支持部材。
【発明の詳細な説明】
【０００１】
【発明の属する技術分野】
本発明は、用紙排出ロールから排出される用紙が載置される用紙排出トレイと、前記排出ロールの上方を被覆する排出ロールカバーとを有し、前記用紙排出トレイと排出ロールカバーとが、シート排出方向後側のフレームに配置された回転軸を中心に回動可能な回動カバーを備えた画像形成装置に関し、特に、前記回動カバーを回動する場合に、前記用紙排出トレイと用紙排出ロールとが干渉しないように構成された画像形成装置に関する。
【０００２】
【従来の技術】
従来の電子写真複写機、レーザービームプリンタ、ファクシミリ等の画像形成装置において、画像形成後のシートが排出されるシート排出トレイは、シート排出方向に沿って上方に傾斜して形成されたシート載置部と、前記シート載置部のシート排出方向後端に連続してほぼ鉛直に形成され、シートの後端を位置決め支持するシート後端位置決め部とを有する（例えば、特許文献１参照）。そして、シートを排出するシート排出ロールは、シートがシート後端位置決め部の上端に引っ掛からずにシート載置部に排出されるように、シート載置部側に突出して配置されている。
【０００３】
前記従来の画像形成装置において、トナーカートリッジの交換等のメンテナンスを行う場合や、定着装置やシート排出ロール付近での用紙詰まり等のトラブルを解消する場合、シート排出ロールを被覆する排出ロール被覆部材やシート排出トレイを開閉して作業を行う。前記排出ロール被覆部材やシート排出トレイを開閉する方法としては、前記排出ロール被覆部材をシート排出方向後側のフレームに設けられた回転軸を中心として回転して開閉する場合（例えば、特許文献１参照）と、シート排出方向前方に設けられた回転軸を中心としてシート排出トレイを回転して開閉する場合（例えば、特許文献２参照）とが従来公知である。
【０００４】
前記シート排出方向後側のフレームに回転軸が配置されている画像形成装置では、通常、前記シート排出トレイと前記排出ロール被覆部材とが一体的に形成された回動カバーを回動させて、画像形成装置の上部を開放する。しかしながら、前記シート排出ロールがシート載置部側に突出して配置されているので、シート排出トレイが回転する際に、シート後端位置決め部の上端がシート排出ロールに干渉し、それ以上開閉する（回転させる）ことができないという問題があった。実際の画像形成装置では、多数の構成部材を備えているので、各構成部材を配置する位置との関係上、全ての機種で前記干渉が発生しないように回動カバーの回転軸の位置を確保することは困難である。
【０００５】
前記問題点を解決するため、下記の技術（Ｊ０１），（Ｊ０２）が従来公知である。
（Ｊ０１）シート排出ロールを回動カバーに組み付け、回動カバー開閉時にシート排出ロールも一体的に移動させることにより、前記干渉を防止する技術。
（Ｊ０２）シート後端位置決め部とシート載置部とを別の部材で構成し、シート後端位置決め部を画像形成装置のフレームに固定支持し、回動カバー開閉時にシート後端位置決め部を移動させないことにより、前記干渉を防止する技術。
【０００６】
【特許文献１】
特開平１１−１５７６９６７号公報（第３頁〜４頁、第１図、第２図）。
【特許文献２】
特開２００１−２４７２６９２号公報（第１図）。
【０００７】
【発明が解決しようとする課題】
前記従来技術（Ｊ０１）では、シート排出ロール及びシート排出ロールに駆動力を伝達する装置（ギア等）を回動カバーに組み付けるので、回動カバーの剛性や精度を高める必要があり、コスト高になってしまう。また、回動カバーを開閉する度に、回動カバーに組み付けられた駆動力伝達装置（ギヤ等）とフレームに組み付けられた駆動装置とが連結・離脱するので、駆動力伝達装置と駆動装置とのの連結構造が複雑化してしまう。
【０００８】
また、前記従来技術（Ｊ０２）では、シート載置部とシート後端位置決め部とがそれぞれ別の部材に組み付けられるため、画像形成装置内部の温度が高くなった時に、組み付けられた部材からの熱伝達等の差によりシート載置部とシート後端位置決め部との間で熱膨張に差が生じ、シート排出トレイに反りが発生する場合がある。前記反りが発生すると、シート排出トレイと他の部材とが干渉したり、他の外壁形成部材との間に大きな隙間が空いたりすることがある。また、シート後端位置決め部がフレームに固定支持されているので、メンテナンス等の作業時に作業が難くなる。
【０００９】
本発明は前述の事情に鑑み、下記（Ｏ０１），（Ｏ０２）の記載内容を課題とする。
（Ｏ０１）シート排出トレイと一体的に回動する回動カバーを開閉する時に、シート後端位置決め部とシート排出ローラとの干渉を防止すること。
（Ｏ０２）回動カバーの構成の複雑化や反りの発生を防止すること。
【００１０】
【課題を解決するための手段】
次に、前記課題を解決するために案出した本発明を説明するが、本発明の要素には、後述の実施例の要素との対応を容易にするため、実施例の要素の符号をカッコで囲んだものを付記する。
なお、本発明を後述の実施例の符号と対応させて説明する理由は、本発明の理解を容易にするためであり、本発明の範囲を実施例に限定するためではない。
【００１１】
（本発明）
前記課題を解決するために本発明の画像形成装置は下記の構成要件（Ａ０１）〜（Ａ０５）を備えたことを特徴とする。
（Ａ０１）シート（Ｓ）が排出される排出口（Ｈ１）を有し、前記排出口（Ｈ１）からシート（Ｓ）を排出するシート排出ロール（Ｒ１，Ｒ２）を支持するフレーム（Ｕ１，Ｕ１′）、
（Ａ０２）前記フレーム（Ｕ１，Ｕ１′）及びシート排出ロール（Ｒ１，Ｒ２）の上方を被覆する排出ロール被覆部材（１）、
（Ａ０３）前記フレーム（Ｕ１，Ｕ１′）のシート（Ｓ）の排出方向前方に配置されたシート排出トレイ（ＴＲｈ、ＴＲｈ′）であって、前記排出口（Ｈ１）から排出されたシート（Ｓ）の後端部を支持するシート後端部支持部材（４，４′）と、前記シート後端部支持部材（４，４′）のシート排出方向前方に配置されたシート支持部本体（２，２′）とを有する前記シート排出トレイ（ＴＲｈ、ＴＲｈ′）、
（Ａ０４）前記排出ロール被覆部材（１）と前記シート排出トレイ（ＴＲｈ、ＴＲｈ′）とを有し、且つ、前記フレーム（Ｕ１，Ｕ１′）のシート排出方向後側に配置された回転軸（Ｐ１）を中心として回動可能に支持された回動カバー（Ｕ２，Ｕ２′）、
（Ａ０５）前記シート支持部本体（２，２′）に対して相対移動可能に連結され、前記回動カバー（Ｕ２，Ｕ２′）の回動時に前記シート排出ロール（Ｒ１，Ｒ２）に干渉しない位置に移動可能に連結された前記シート後端部支持部材（４，４′）。
【００１２】
前記構成要件（Ａ０１）〜（Ａ０５）を備えた本発明の画像形成装置では、フレーム（Ｕ１，Ｕ１′）は、排出口（Ｈ１）からシート（Ｓ）を排出するシート排出ロール（Ｒ１，Ｒ２）を支持する。排出されたシート（Ｓ）は、前記フレーム（Ｕ１，Ｕ１′）のシート排出方向前方に配置されたシート排出トレイ（ＴＲｈ、ＴＲｈ′）に排出される。シート排出トレイ（ＴＲｈ、ＴＲｈ′）に排出されたシート（Ｓ）の後端部はシート後端部支持部材（４，４′）によって支持され、シート（Ｓ）の後端部以外の部分は、前記シート後端部支持部材（４，４′）のシート排出方向前方に配置されたシート支持部本体（２，２′）によって支持される。
【００１３】
前記フレーム（Ｕ１，Ｕ１′）及びシート排出ロール（Ｒ１，Ｒ２）の上方は、排出ロール被覆部材（１）によって被覆されている。前記排出ロール被覆部材（１）と前記シート排出トレイ（ＴＲｈ、ＴＲｈ′）とを有する回動カバー（Ｕ２，Ｕ２′）は、シート排出方向後側のフレーム（Ｕ１，Ｕ１′）に配置された回転軸（Ｐ１）を中心として回動可能に支持されている。そして、前記シート排出トレイ（ＴＲｈ、ＴＲｈ′）のシート後端部支持部材（４，４′）は、前記シート支持部本体（２，２′）に対して相対移動可能であり、前記回動カバー（Ｕ２，Ｕ２′）の回動時に前記シート排出ロール（Ｒ１，Ｒ２）に干渉しない位置に移動可能に連結されている。
【００１４】
したがって、本発明の画像形成装置では、前記回動カバー（Ｕ２，Ｕ２′）を回動させる時に、シート後端部支持部材（４，４′）がシート排出ロール（Ｒ１，Ｒ２）に干渉することを防止できる。即ち、シート後端部支持部材（４，４′）がシート排出ロール（Ｒ１，Ｒ２）に干渉することなく回動カバー（Ｕ２，Ｕ２′）を回動させて、フレーム（Ｕ１，Ｕ１′）及びシート排出ロール（Ｒ１，Ｒ２）の上方を開閉することができる。この結果、シート排出ロール（Ｒ１，Ｒ２）を回動カバー（Ｕ２，Ｕ２′）に組み付けることによるコストアップ及び構成の複雑化や、シート載置部とシート後端位置決め部とを別の部材に固定支持することによる反りの発生や作業の困難性（メンテナンス性の低下）等を防止することができる。
【００１５】
また、前記構成要件（Ａ０１）〜（Ａ０５）を備えた本発明の画像形成装置は、下記の構成要件（Ａ０６）を備えることができる。
（Ａ０６）前記シート支持部本体（２，２′）に対して回転可能に支持された前記シート後端部支持部材（４，４′）。
前記構成要件（Ａ０６）を備えた本発明の画像形成装置では、回動カバー（Ｕ２，Ｕ２′）が回動する際に、前記シート後端部支持部材（４，４′）をシート支持部材本体に対して回転させることにより、シート後端部支持部材（４，４′）がシート排出ロール（Ｒ１，Ｒ２）に干渉しない位置に移動させることができる。この結果、シート後端部支持部材（４，４′）とシート排出ロール（Ｒ１，Ｒ２）との干渉が防止され、メンテナンス性の低下や反りの発生等も防止できる。
【００１６】
また、前記構成要件（Ａ０１）〜（Ａ０５）を備えた本発明の画像形成装置は、下記の構成要件（Ａ０７）を備えることができる。
（Ａ０７）前記シート支持部本体（２，２′）に対してスライド移動可能に支持された前記シート後端部支持部材（４，４′）。
前記構成要件（Ａ０７）を備えた本発明の画像形成装置では、回動カバー（Ｕ２，Ｕ２′）が回動する際に、前記シート後端部支持部材（４，４′）がシート支持部材本体に対してスライド移動することによって、シート後端部支持部材（４，４′）をシート排出ロール（Ｒ１，Ｒ２）と干渉しない位置に移動させることができる。この結果、シート後端部支持部材（４，４′）とシート排出ロール（Ｒ１，Ｒ２）との干渉が防止され、メンテナンス性の低下や反りの発生等も防止できる。
【００１７】
【発明の実施の形態】
次に図面を参照しながら、本発明の実施の形態を説明するが、本発明は以下の実施の形態に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【００１８】
（実施の形態１）
図１は本発明の実施の形態１の画像形成装置の全体説明図である。
図２は実施の形態１の画像形成装置の説明図であり、図２Ａはシート後端部支持部材とシート支持部本体との連結部分の要部拡大説明図、図２Ｂは画像形成装置上部の回動カバーを上方に開放した状態（開放位置）の斜視図である。
図３は実施の形態１の画像形成装置の分解斜視図であり、図３Ａは回動カバーの斜視図、図３Ｂはシート後端部支持部材の斜視図、図３Ｃは画像形成装置本体の斜視図である。
図４は回動カバーで画像形成装置上部を被覆した状態（被覆位置）の回動カバー部分の要部拡大説明図である。
図５は回動カバーを少し開放した状態での回動カバー部分の要部拡大説明図である。
図６は回動カバーで画像形成装置上部を開放した状態（開放位置）の回動カバー部分の要部拡大説明図である。
【００１９】
図１において、実施の形態１の画像形成装置としてのプリンタＵは、プリンタ本体（フレーム）Ｕ１と、前記プリンタ本体Ｕ１の上部を被覆する回動カバーＵ２とを有し、上面には記録シートが排出される排出トレイＴＲｈが設けられている。前記回動カバーＵ２は、プリンタ本体Ｕ１の上部右端壁にヒンジピン（回転軸）Ｐ１によってヒンジ連結されており、被覆位置（図１、図４に示す状態）と開放位置（図２、図６に示す状態）との間で回動可能に支持されている。即ち、前記回動カバーＵ２を被覆位置と開放位置との間で回動させることによってプリンタ本体Ｕ１の上部を開閉することができる。図３Ａにおいて、前記回動カバーＵ２は、右側の排出ロール被覆部（排出ロール被覆部材）１と、前記排出ロール被覆部１と一体的に形成されたシート載置部本体（シート支持部本体）２とを有している。
【００２０】
図１において、前記排出トレイＴＲｈは、前記シート載置部本体２と、シート載置部本体２の左方（−Ｙ側）に配置されたシート前端載置部材３と、シート載置部本体２の右方（＋Ｙ側）に配置されたシート後端部支持部材４とを有する。前記シート載置部本体２は、回動カバーＵ２が被覆位置（図１の状態）にある時に、左側（−Ｙ側）に行くに従って上方に傾斜して形成されている。前記シート前端支持部材３は、プリンタ本体Ｕ１に固定支持されており、前記シート載置部本体２の左端に連続するように、左方に行くに従って上方に傾斜して形成されている。
【００２１】
前記シート後端部支持部材４は、記録シートの排出方向の後端部を位置決めして支持するシート後端位置決め壁（シート後端位置決め部）４ａと、前記シート後端位置決め壁４ａの下端部に連続して形成され、左方（−Ｙ方向）に行くに従って上方に傾斜して形成され且つ左端（−Ｙ端）が前記シート載置部本体２の右端に連続するシート後端載置部４ｂとを有する。
【００２２】
図２Ａ、図４において、前記シート載置部本体２の右端部（＋Ｙ端部）下面には前後一対の固定軸支持部１１が支持されており、前記固定軸支持部１１には、固定軸１２が固定支持される。
図２Ａ、図３、図４において、前記シート後端載置部４のシート後端載置部４ｂの前後両端部には貫通孔形成部１６が一体的に形成されており、前記貫通孔形成部１６には前記固定軸１２が貫通する貫通孔１７（図２Ａ参照）が形成されている。したがって、前記固定軸１２及び貫通孔１７によって、前記シート後端部支持部材４は回動カバーＵ２に対して回転可能に支持されている。
【００２３】
図４〜図６において、前記回動カバーＵ２のシート載置部本体２の左端には下方に伸びるリブ２１が一体的に形成されている。前記リブ２１の右方のシート載置部本体２下面には、下方に突出する突出部２２が形成されており、前記突出部２２の周辺にはバネ係止部２３がシート載置部本体２に一体的に形成されている。前記突出部２２の下端には円板状のストッパ２４がネジ止めされている。
【００２４】
前記突出部２２の下方には円筒状のポップアップ部材２６が配置されている。前記ポップアップ部材２６の上端部には、前記突出部２２が貫通する貫通孔２６ａと、バネ係止溝２６ｂとが形成されている。前記バネ係止部２３とバネ係止溝２６ｂとの間には圧縮バネ２７が配置されており、前記圧縮バネ２７によって前記ポップアップ部材２６は常に下方に付勢されている。前記回動カバーＵ２は、図４に示す被覆位置にあるとき、図示しないポップアップ係止部材によって係止されており、前記圧縮バネ２７は圧縮された状態で保持される。前記ポップアップ係止部材の構成を含むポップアップに関する機構は、従来公知なので（例えば、特開平１１−１５７１６６号公報等参照）詳細な説明は省略する。
そして、前記ポップアップ係止部材による係止を解除すると、図５に示すように前記圧縮バネ２７の弾性力によって回動カバーＵ２の左端部がポップアップする（跳ね上がる）。このとき、前記ストッパ２４がポップアップ部材２６の貫通孔２６ａの下端側の壁に係合するので、ポップアップ部材２６は回動カバーＵ２と一体的に移動する。ポップアップした後は、ユーザが前記回動カバーＵ２を手動で回動させることができる。
なお、前記回動カバーＵ２を開閉する機構は、前記ポップアップ機構に限定されず、スナップ機構等の公知の機構を使用することができる。
【００２５】
図１において、前記プリンタＵ内部には、前記プリンタ本体Ｕ１に着脱可能に装着されるプロセスカートリッジＵ３及び定着ユニットＵ４が配置されている。前記回動カバーＵ２を開放位置（図２、図６に示す状態）に回動させ、プリンタ本体Ｕ１の上部を開放した状態で、プリンタ本体Ｕ１に対してプロセスカートリッジＵ３や定着ユニットＵ４の着脱が行われる。
【００２６】
図１において、プリンタ本体Ｕ１はマイコンにより構成されたコントローラＣと、コントローラＣにより作動を制御されるＩＰＳ（イメージプロセッシングシステム）、レーザ駆動回路ＤＬ、および電源装置Ｅ等を有している。電源装置Ｅは、後述の帯電ロールＣＲ、現像ロールＧａおよび転写ロールＴｒ等の被給電部材（給電される部材）にバイアス電圧を印加する。
前記ＩＰＳ（イメージプロセッシングシステム）は、外部のホストコンピュータ等から入力された印字データを潜像形成用の画像データに変換して所定のタイミングでレーザ駆動回路ＤＬに出力する。レーザ駆動回路ＤＬは、入力された画像データに応じてレーザ駆動信号をＲＯＳ（潜像形成装置）に出力する。
【００２７】
前記開閉可能な回動カバーＵ２を開放位置に移動させた状態でプリンタ本体Ｕ１に着脱可能に装着されるプロセスカートリッジＵ３は、像担持体ユニットＵ３ａおよび現像ユニットＵ３ｂを有している。前記プロセスカートリッジＵ３の像担持体ユニットＵ３ａは、像担持体ＰＲ、帯電ロールＣＲおよびそれらを回転可能に支持するトナー回収容器（クリーナ）ＣＬを有している。前記トナー回収容器ＣＬの上面には凹部が形成されており、その凹部には持ち運びするためのハンドル（図示せず）が回動可能（起伏可能）に収容されている。
【００２８】
現像ユニットＵ３ｂは、現像容器Ｖを有しており、現像容器Ｖ内部には現像ロールＧａおよび現像剤攪拌部材Ｇｂが回転可能に支持されている。前記現像容器Ｖには現像剤カートリッジ装着部Ｖ１が設けられており、前記現像剤カートリッジ装着部Ｖ１には現像剤カートリッジＫが着脱可能に装着される。前記現像剤カートリッジＫ内部には現像剤を攪拌しながら現像容器Ｖ内の現像剤撹拌部材Ｇｂに搬送する攪拌搬送部材Ｇｃが回転可能に支持されている。
【００２９】
回転する像担持体ＰＲの表面は、帯電領域Ｑ１において前記帯電ロールＣＲにより帯電され、潜像書込位置Ｑ２において前記ＲＯＳ（潜像書込装置）から出射するレーザビームＬにより静電潜像が書き込まれる。前記静電潜像は現像領域Ｑ３において現像ユニットＵ３ｂの現像ロールＧａによりトナー像に現像され、像担持体ＰＲ及び転写ロールＴｒとの圧接領域により形成される転写領域Ｑ４において転写ロールＴｒにより記録シートＳに転写される。
像担持体ＰＲ表面の残留トナーは、転写領域Ｑ４の下流側のクリーニング領域Ｑ５においてクリーニングブレードＣＢにより除去され（擦り取られ）、トナー回収容器ＣＬに回収される。なお、前記クリーニングブレードＣＢの対向する側にはフィルムシールＦＳが設けられており、フィルムシールＦＳは前記トナー回収容器ＣＬ内に回収されたトナーが外にこぼれ出るのを防止する。
【００３０】
プリンタ本体Ｕ１の下部に配置された給紙トレイＴＲ１は、その左右両側に左右方向（Ｙ軸方向）に沿って配置された一対のレール（図示せず）に沿って左右に移動可能に支持されている。
前記給紙トレイＴＲ１から、ピックアップロールＲｐにより取出された記録シートＳは、リタードロールおよび給紙ロールを有するさばきロールＲｓにより１枚づつ分離されて、シート搬送路ＳＨに沿って配置されたシート搬送ロールＲａにより搬送され、転写領域Ｑ４のシート搬送方向の上流側に配置されたレジロールＲｒにより所定のタイミングで、前記転写領域Ｑ４に搬送される。
また、プリンタ本体Ｕ１の右側下部（＋Ｙ側−Ｚ部）に配置された手差トレイＴＲ０から給紙された記録シートＳも前記シート搬送路ＳＨに沿って配置されたシート搬送ロールＲａ、レジロールＲｒにより前記転写領域Ｑ４に搬送される。
【００３１】
前記コントローラＣにより動作が制御される電源装置Ｅから所定のタイミングで転写バイアスが印加される転写ロールＴｒは、転写領域Ｑ４を通過する記録シートＳに像担持体ＰＲ上のトナー像を転写する。
前記転写領域Ｑ４においてトナー像が転写された記録シートＳは、トナー像が未定着の状態で定着ユニットＵ４に搬送される。前記定着ユニットＵ４は一対の定着ロールＦｈ，Ｆｐからなる定着装置Ｆを有し、前記一対の定着ロールＦｈ，Ｆｐの圧接領域によって定着領域Ｑ６が形成される。前記定着ユニットＵ４に搬送された記録シートＳは、定着領域Ｑ６において定着装置Ｆの一対の定着ロールＦｈ，Ｆｐによりトナー像が定着される。定着トナー像が形成された記録シートＳは、定着ユニットＵ４と一体に形成されたシートガイドＳＧ１と、回動カバーＵ２に一体的に形成されたフィン状のシートガイドＳＧ２とによってガイドされてプリンタ本体Ｕ１に支持された排出ロールＲ１、Ｒ２に搬送される。そして、前記記録シートＳは、前記排出ロールＲ１、Ｒ２により排出口Ｈ１から前記排出トレイＴＲｈに排出される。
【００３２】
（実施の形態１の作用）
前記構成を備えた実施の形態１のプリンタＵでは、シート後端部支持部材４が回動カバーＵ２に対して回転可能に支持されているので、回動カバーＵ２を被覆位置から開放位置に回動させる際に、シート後端部支持部材４がシート載置部本体２に対して回動する。前記シート後端部支持部材４の重心が固定軸１２に対して下方に位置するので、図５に示すように、シート後端部支持部材４は、回動カバーＵ２が回動する際に、固定軸１２を中心に下方（図５において時計回り方向）に回転する。前記シート後端部支持部材４の回転によって、シート後端位置決め壁４ａの上端部が下側の排出ロールＲ２の下方に移動する。したがって、実施の形態１のプリンタＵでは、回動カバーＵ２を回動させる際に、シート後端位置決め壁４ａの上端部が、排出ロールＲ１，Ｒ２に干渉しない（衝突しない）。
【００３３】
この結果、従来、シート後端部支持部材４がシート本体載置部２と一体的に移動することによって、シート後端位置決め壁４ａの上端部とシート排出ロールＲ１、Ｒ２とが干渉すること（図５の２点鎖線参照）が防止される。また、シート排出ロールＲ１，Ｒ２を回動カバーＵ２に組み付けることによるコストアップ及び構成の複雑化や、シート載置部ＴＲｈ２とシート後端位置決め壁４ａとをそれぞれ別の部材に固定支持することによる反りの発生を防止できる。さらに、シート後端位置決め壁４ａがプリンタ本体Ｕ１に固定支持されていないので、プロセスカートリッジＵ３や定着ユニットＵ４の交換等のメンテナンスや、紙詰まり等のトラブルの解消をする時に、メンテナンス性の低下を防止し、メンテナンス等の作業を容易に行うことができる。
【００３４】
なお、実施の形態１のプリンタＵにおいて、前記回動カバーＵ２を開放位置から被覆位置に移動させる際に、前記シート後端部支持部材４を所定の位置に位置決めして保持するためのガイド部材を設けることも可能である。
また、実施の形態１では、シート後端部支持部材４が下方（図５において時計回り）に回転するように構成されているが、逆方向（図５において反時計回り）に回転するように構成することも可能である。
さらに、前記シート後端載置部４ｂとシート載置部本体２とを一体形成し、シート後端位置決め部４ａのみをシート載置部本体２に対して回転可能に構成することも可能である。
さらにまた、実施の形態１のプリンタＵでは、回動カバーＵ２が回動する際に、シート後端部支持部材４が自然に下方に回転するよう構成されているが、ユーザが手動で回転させたり、モータ等の駆動装置によって回転させるように構成することも可能である。
【００３５】
（実施の形態２）
図７は実施の形態２の画像形成装置の回動カバー部分の要部拡大説明図である。
なお、この実施の形態２の説明において、前記実施の形態１の構成要素に対応する構成要素には同一の符号を付して、その詳細な説明を省略する。
この実施の形態２は、下記の点で前記実施の形態１と相違しているが、他の点では前記実施の形態１と同様に構成されている。
【００３６】
図７において、実施の形態２のプリンタＵ′では、シート後端位置決め部材４′のシート後端載置部４ｂ′の左右方向（Ｙ軸方向）の長さが実施の形態１のシート後端載置部４ｂより長く構成されている。そして、回動カバーＵ２′のシート載置部本体２′の右端部下面（＋Ｙ端部−Ｚ面）には、前記シート後端載置部４ｂ′の前後両端をスライド移動可能に支持するスライド溝が形成された前後一対のスライドレール３１，３１（図７には後側のみ記載）が支持されている。なお、前記シート後端載置部４ｂ′の左端部下面（−Ｙ端部−Ｚ面）には、下方に突出する前後一対の被ストッパ部４ｃ′，４ｃ′が形成されており、前記スライドレール３１，３１の右端部（＋Ｙ端部）には前記被ストッパ部４ｃ′，４ｃ′を係止するストッパ部３１ａ、３１ａが内方に突出して形成されている。
【００３７】
（実施の形態２の作用）
前記構成を備えた実施の形態２のプリンタＵ′では、プリンタＵ′の上部を開放する場合、シート載置部本体２′をポップアップさせて回動カバーＵ２′を回動させる。そのまま前記回動カバーＵ２′を回動させるとシート後端位置決め壁４ａ′の上端部がシート排出ロールＲ１，Ｒ２と干渉するので、ユーザが手動でシート後端部支持部材４′をスライド移動させることによって干渉が防止され、回動カバーＵ２′を回動できる。
【００３８】
したがって、シート排出ロールＲ１，Ｒ２を回動カバーＵ２′に組み付けることによるコストアップ及び構成の複雑化や、シート載置部本体２′とシート後端位置決め壁４ａ′とをそれぞれ別の部材に固定支持することによる反りの発生を防止できる。また、シート後端位置決め壁４ａ′がプリンタ本体Ｕ１′に固定支持されていないので、メンテナンス性の低下を防止し、メンテナンス等の作業を容易に行うことができる。
【００３９】
（変更例）
以上、本発明の実施の形態を詳述したが、本発明は、前記実施の形態に限定されるものではなく、特許請求の範囲に記載された本発明の要旨の範囲内で、種々の変更を行うことが可能である。本発明の変更例（Ｈ０１），（Ｈ０２）を下記に例示する。
（Ｈ０１）前記各実施の形態において、複写機やＦＡＸ等のプリンタ以外の画像形成装置に適用することも可能である。
（Ｈ０２）前記実施の形態１において、シート後端位置決め壁４ａを上部と下部で別体に構成し且つ、シート載置部本体２、シート後端載置部４ｂ及びシート後端位置決め壁４ａの下部を一体的に構成し、シート後端位置決め部４ａの上部をシート後端位置決め部４ａの下部に対して回転可能に支持する構成とすることも可能である。
【００４０】
【発明の効果】
前述の本発明の画像形成装置は、下記の効果（Ｅ０１），（Ｅ０２）を奏することができる。
（Ｅ０１）シート排出トレイと一体的に回動する回動カバーを開閉する時に、シート後端位置決め部とシート排出ローラとの干渉を防止することができる。
（Ｅ０２）回動カバーの構成の複雑化や反りの発生を防止することができる。
【図面の簡単な説明】
【図１】図１は本発明の実施の形態１の画像形成装置の全体説明図である。
【図２】図２は実施の形態１の画像形成装置の説明図であり、図２Ａはシート後端部支持部材とシート支持部本体との連結部分の要部拡大説明図、図２Ｂは画像形成装置上部の回動カバーを上方に開放した状態（開放位置）の斜視図である。
【図３】図３は実施の形態１の画像形成装置の分解斜視図であり、図３Ａは回動カバーの斜視図、図３Ｂはシート後端部支持部材の斜視図、図３Ｃは画像形成装置本体の斜視図である。
【図４】図４は回動カバーで画像形成装置上部を被覆した状態（被覆位置）の回動カバー部分の要部拡大説明図である。
【図５】図５は回動カバーを少し開放した状態での回動カバー部分の要部拡大説明図である。
【図６】図６は回動カバーで画像形成装置上部を開放した状態（開放位置）の回動カバー部分の要部拡大説明図である。
【図７】図７は実施の形態２の画像形成装置の回動カバー部分の要部拡大説明図である。
【符号の説明】
Ｈ１…排出口、Ｐ１…回転軸、Ｒ１，Ｒ２…シート排出ロール、Ｓ…シート、ＴＲｈ、ＴＲｈ′…シート排出トレイ、Ｕ１，Ｕ１′…フレーム、Ｕ２，Ｕ２′…回動カバー、１…排出ロール被覆部材、２，２′…シート支持部本体、４，４′…シート後端部支持部材。
【図１】
2004106988.tif 000003
【図２】
2004106988.tif 000004
【図３】
2004106988.tif 000005
【図４】
2004106988.tif 000006
【図５】
2004106988.tif 000007
【図６】
2004106988.tif 000008
【図７】
2004106988.tif 000009